(57)【特許請求の範囲】
【請求項１】
オーバーフロー管の上方にオーバーフロー排水口部を形成し、且つ下方に排水口金具部を形成し、この下部に排水管接続部が設けられ、該オーバーフロー管が、そのオーバーフロー排水口部を洗面ボウルのオーバーフロー穴に位置させ、その排水口金具部を洗面ボウルの排水口穴に位置させたインサート成形をすることによって、洗面ボウルと一体化されることを特徴とするオーバーフロー一体の排水口金具。
【発明の詳細な説明】
【技術分野】
【０００１】  本発明は、洗面器の排水口金具に係り、特に、排水口に露出しない排水口金具に関するものであって、オーバーフロー管を具備したオーバーフロー一体の排水口金具である。
【背景技術】
【０００２】  従来、樹脂製洗面器は、陶磁器製洗面器のようにオーバーフローを洗面ボウルと一体に形成することができなかった。そこで、別体のホースをその両端が接続された接続部材をもって、洗面ボウルの外側から排水口金具へ接続されていた。
しかし、この樹脂製洗面器の場合、ホースが接続部材をもって接続固定されるには、部品点数が多くなるばかりでなく、手間暇とコストが嵩み、揚句の果てには、オーバーフロー水路が単純平坦でないので、汚れ易いと云った問題点があった。
そこで、これを解決するものとして、中空構造のオーバーフロー管が、所定高さ位置にオーバーフロー孔を、下端部に流出孔を設け、この流出孔が、栓部を介して洗面ボウルの排水口金具に打栓されることによって洗面ボウルの内面側に組み付けられるものである（特許文献１）。【０００３】
【特許文献１】  特開２０００−１５４５６９
【発明の開示】
【発明が解決しようとする課題】
【０００４】  ところで、洗面ボウルとは別体の中空構造のオーバーフロー管が、オーバーフロー孔と、流出孔とを設け、流出孔の栓部を介して排水口金具に打栓されて洗面ボウルの内面側に組付けたもの（特許文献１）は、オーバーフロー管が、洗面ボウルの内面に完全に露出し、見栄えも悪いばかりでなく、取付け箇所に黴を発生し、汚れの起因となり、不都合であった。
また、洗面ボウルの排水口金具にオーバーフロー管の流出孔がそれに設けられた栓部をもって打栓取付けられることは、清掃上、一見、取付け、取外しができてよいようにみえるが、オーバーフロー管の打栓の甘さによる浮き上がりで、シール性が悪く、漏れを生じ、その上、単純平坦な流路構造でないので、毛髪やごみ等が溜まりやすく、都合悪かった。
そこで、本発明は、洗面ボウルの排水口に露出することのないオーバーフロー管を具備したオーバーフロー一体の排水口金具が得られることを目的とする。
【課題を解決するための手段】
【０００５】  本発明のオーバーフロー一体の排水口金具は、オーバーフロー管の上方にオーバーフロー排水口部を形成し、且つ下方に排水口金具部を形成し、この下部に排水管接続部が設けられ、該オーバーフロー管が、そのオーバーフロー排水口部を洗面ボウルのオーバーフロー穴に位置させ、その排水口金具部を洗面ボウルの排水口穴に位置させたインサート成形をすることによって、洗面ボウルと一体化されるものである。
【発明の効果】
【００１１】  本発明のオーバーフロー一体の排水口金具は、オーバーフロー管にオーバーフロー排水口部、及び洗面ボウルの排水口金具部をも形成されたオーバーフロー一体の排水口金具であるので、部品点数が少ない上、この成形、及びこれらの施工による手間暇がかからない。また、洗面ボウルの排水口に露出することなく取付けることができ、見栄えよくなると共に、排水口金具周囲の段差による残水の溜り、水垢等の汚れの発生がなく、衛生的である。
そして、オーバーフロー一体の排水口金具は、その流路を単純平坦にすることができるので、排水、及びオーバーフロー排水が滞ることなく流れ、残水の溜りによる黴、汚れの発生を止めることができる。【００１２】  本発明のオーバーフロー一体の排水口金具は、部品点数少なくして単純構造にできるので、この排水口金具自身を成形するにも造りやすく、これによるインサート成形をするに当っても、オーバーフロー排水口部と排水口金具部とでの位置決め、及び成形時のズレを起すことなくでき、綺麗いな仕上りにできる。
【発明を実施するための形態】
【００１４】  本発明のオーバーフロー一体の排水口金具は、オーバーフロー管の上方に、オーバーフロー排水口部を形成し、且つ下方に、排水口金具部を形成し、この下部に排水管接続部が設けられたものであって、これによるインサート成形で洗面ボウルと一体化される。
また、これをもって、洗面ボウルに下面より接合するものであり、接合がビス止め、或いはバックルによるクランプ止め、または一方をフックによる引掛け止めとし、他方をバックルによるクランク止めされるものである。
【実施例１】
【００１５】  オーバーフロー一体の排水口金具は、図１、図２に示す如く、中空構造のオーバーフロー管ａが、上方にオーバーフロー排水口部１を形成し、下方に排水口金具部２を形成したＬ字形状でなっている。そして、排水口金具部２は、上部の排水口部２１と、下部の排水管接続部２２とで構成され、該排水管接続部には排水管３が接続される。
なお、中空構造のオーバーフロー一体の排水口金具は、上方にオーバーフロー排水口部１を、且つ下方に排水口部２１を形成したオーバーフロー管上分割部材ａ１と、下部に排水管接続部２２を形成したオーバーフロー管下分割部材ａ２とで構成されてもよい。
そして、インサート成形に用いられるオーバーフロー一体の排水口金具は、成形時の撓みに対して強くするため、オーバーフロー管ａの曲部分を厚く、叉は広くすることが望ましい。【００１６】  洗面ボウルＡがオーバーフロー一体の排水口金具によるインサート成形される場合、図１に示す如く、オーバーフロー管ａが、そのオーバーフロー排水口部１を洗面ボウルのオーバーフロー穴Ａ１に位置させ、排水口金具部２を洗面ボウルの排水口穴Ａ２に位置させるように構成されている。よって、この位置決めにはオーバーフロー管頂部の凹部ａ１１と、排水口金具の排水口部２１とで固定がおこなわれ、これによるインサート成形によって、洗面ボウルＡと一体化される。
洗面ボウルＡと一体化されたオーバーフロー一体の排水口金具は、洗面ボウルの排水口に露出しないので、洗面ボウルの見栄えよく、また、排水口残水がなく、汚れや、黴を生じにくい。
なお、図中、４は、排水栓５の開閉を遠隔操作するレリースワイヤであり、６は、ヘアキャッチャーである。
【実施例２】
【００１７】  オーバーフロー一体の排水口金具は、図３、図４、図５、及び図６に示す如く、中空構造のオーバーフロー管ｂが、上方にオーバーフロー排水口部１ａを、下方に排水口金具２ａを形成したＬ字形状でなっている。
そして、オーバーフロー排水口部１ａは、フランジ１１ａを形成し、該フランジの上側部にはフック１２ａが設けられて、洗面ボウルＢの掛け止め部Ｂ１１に引掛け止めされる。排水口金具部２ａは、上部の排水口部２１ａとの接合フランジ２３ａ、及び下部の排水管との排水管接続部２２ａで構成され、接合フランジ２３ａには、バックル２５が具備され、洗面ボウルＢとの接合におけるクランプ止めをする。
そこで、オーバーフロー一体の排水口金具を洗面ボウルＢに接合する場合、図３に示す如く、オーバーフロー管ｂのオーバーフロー排水口部１ａを洗面ボウルのオーバーフロー穴Ｂ１へ接合し、この接合には、パッキン１３を介して洗面ボウルに設けられた掛け止め部Ｂ１１へオーバーフロー排水口部のフック１２ａを引掛け止めする。そして、オーバーフロー管の排水口金具部２ａを洗面ボウルの排水口穴Ｂ２へ接合し、この接合には、パッキン２４を介して洗面ボウルに設けられた引掛け部Ｂ２１に接合フランジ２３ａに具備したバックル２５をもって引掛け、クランプ止めすることによって、洗面ボウルＢとオーバーフロー一体の排水口金具とが一体化される。
洗面ボウルＢにオーバーフロー一体の排水口金具が、簡単且つ容易に、そして迅速に接合でき、洗面ボウルの排水口に露出しないので見栄え良く、段差による残水がないので、汚れや黴を発生させないようにできる。【００１８】  なお、フックによる引掛け止めされているオーバーフロー排水口部１ａと、洗面ボウルのオーバーフロー穴Ｂ１との接合を、バックルによるクランプ止めにし、全ての接合をバックルによるクランプ止めにしてもよいことは云うまでもない。
【実施例３】
【００１９】  図７、図８、図９、図１０に示す如く、オーバーフロー管ｃのオーバーフロー排水口部１ｂを洗面ボウルＣのオーバーフロー穴Ｃ１へ接合し、その接合が、オーバーフロー排水口部１ｂにフランジ１１ｂを形成し、該フランジがパッキン１３を介してビス止め１１１される。そして、オーバーフロー管ｃの排水口金具部２ｂを洗面ボウルの排水口穴Ｃ２へ接合し、その接合が、排水口金具部２ｂには、上部の排水口部２１ｂとの接合フランジ２３ｂ、及び下部の排水管接続部２２ｂを構成し、パッキン２４を介してその接合フランジ２３ｂによるビス止め２２２される。
【図面の簡単な説明】
【００２０】
【図１】  オーバーフロー一体の排水口金具によるインサート成形された洗面ボウルの断面図である。
【図２】  インサート成形されるオーバーフロー一体の排水口金具の断面図である。
【図３】  オーバーフロー一体の排水口金具の洗面ボウルへの接合がフックによる引掛け止め、及びバックルによるクランプ止めされた洗面ボウルの断面図である。
【図４】  フックによる引掛け止め、及びバックルによるクランプ止め接合されるオーバーフロー一体の排水口金具の断面図である。
【図５】  バックルによるクランプ止め接合される排水口金具部の部分図である。
【図６】  フックによる引掛け止め接合されるオーバーフロー排水口部の部分図である。
【図７】  オーバーフロー一体の排水口金具の洗面ボウルへの接合がビス止めされた洗面ボウルの断面図である。
【図８】  ビス止め接合されるオーバーフロー一体の排水口金具の断面図である。
【図９】  ビス止め接合される排水口金具部の部分図である。
【図１０】  ビス止め接合されるオーバーフロー排水口部の部分図である。
【符号の説明】
【００２１】Ａ        洗面ボウル
Ａ１      オーバーフロー穴
Ａ２      排水口穴
Ｂ        洗面ボウル
Ｂ１      オーバーフロー穴
Ｂ１１    掛け止め部
Ｂ２      排水口穴
Ｂ２１    引掛け部
Ｃ        洗面ボウル
Ｃ１      オーバーフロー穴
Ｃ２      排水口穴
ａ        オーバーフロー管
ａ１      上分割部材
ａ２      下分割部材
ａ１１    凹部
ｂ        オーバーフロー管
ｃ        オーバーフロー管
１        オーバーフロー排水口部
１ａ      オーバーフロー排水口部
１ｂ      オーバーフロー排水口部
１１ａ    フランジ
１１ｂ    フランジ
１１１    ビス止め
１２ａ    フック
１３      パッキン
２        排水口金具部
２ａ      排水口金具部
２ｂ      排水口金具部
２１      排水口部
２１ａ    排水口部
２１ｂ    排水口部
２２      排水管接続部
２２ａ    排水管接続部
２２ｂ    排水管接続部
２２２    ビス止め
２３ａ    接合フランジ
２３ｂ    接合フランジ
２４      パッキン
２５      バックル
３        排水管
４        レリースワイヤ
５        排水栓
６        ヘアキャッチャー
【図１】
0005282937.tif 000002
【図２】
0005282937.tif 000003
【図３】
0005282937.tif 000004
【図４】
0005282937.tif 000005
【図５】
0005282937.tif 000006
【図６】
0005282937.tif 000007
【図７】
0005282937.tif 000008
【図８】
0005282937.tif 000009
【図９】
0005282937.tif 000010
【図１０】
0005282937.tif 000011